(57)【要約】【課題】  内容器の交換作業中に誤って転倒させても中身である内容液の零れを防止することができ、しかも衛生面に優れた注出容器を創出することを課題とする。【解決手段】  第１口筒部（２）の上端に立設した注出ノズル（８）を備えた内容器（１）と、第２口筒部（１２）及び下端（１５）が開放された外装筒（１１）とを有して第１口筒部（２）及び内容器（１）の胴部（４）を外装する外カバー（１０）と、外カバー（１０）の上部に装着されて第２口筒部（１２）を被嵌するキャップ（２０）と、を有する注出容器であって、外カバー（１０）を内容器（１）に外装させた状態において、注出ノズル（８）が外装筒（１１）の第２口筒部（１２）内に配置されると共に、注出ノズル（８）の先端（８Ａ）が第２口筒部（１２）の上端（１２Ａ）よりも上方に突出する構成とする。【選択図】  図１
2014196130.tif 000002
【特許請求の範囲】
【請求項１】
第１口筒部（２）の上端に立設した注出ノズル（８）を備えた内容器（１）と、第２口筒部（１２）及び下端（１５）が開放された外装筒（１１）とを有して前記第１口筒部（２）及び前記内容器（１）の胴部（４）を外装する外カバー（１０）と、該外カバー（１０）の上部に装着されて前記第２口筒部（１２）を被嵌するキャップ（２０）と、を有する注出容器であって、
前記外カバー（１０）を前記内容器（１）に外装させた状態において、前記注出ノズル（８）が前記外装筒（１１）の第２口筒部（１２）内に配置されると共に、前記注出ノズル（８）の先端（８Ａ）が第２口筒部（１２）の上端（１２Ａ）よりも上方に突出する構成としたことを特徴とする注出容器。
【請求項２】
外カバー（１０）が、第２口筒部（１２）から拡径して外装筒（１１）に連結する肩部（１３）と、前記外装筒（１１）の内側に前記肩部（１３）から垂下設された内筒壁（１４）とを有すると共に、前記内筒壁（１４）と内容器（１）の第１口筒部（２）とが対向する部分にネジ機構（３０）を設けた請求項１記載の注出容器。
【請求項３】
外装筒（１１）の内筒壁（１４）と内容器（１）の第１口筒部（２）とが対向する部分に、外カバー（１０）を内容器（１）に外装する作業の完了を知らしめるストッパ機構（３５）を設けた請求項２記載の注出容器。
【請求項４】
キャップ（２０）の下面に収納凹部（２１）を設け、該収納凹部（２１）内に第２口筒部（１２）及び該第２口筒部（１２）の上端から突出する注出ノズル（８）の先端（８Ａ）が一緒に収納される構成とした請求項１乃至３のいずれか一項に記載の注出容器。
【請求項５】
注出ノズル（８）の先端（８Ａ）の注出孔（８ａ）を、シール材（４０）で封止した請求項１乃至４のいずれか一項に記載の注出容器。
【請求項６】
内容器（１）の胴部（４）の所定高さ位置直下から底部（５）にかけての部分を露出部（７）とした請求項１乃至５のいずれか一項に記載の注出容器。
【請求項７】
露出部（７）を膨出状の拡径部（７ａ）とし、該拡径部（７ａ）が外装筒（１１）の下端（１５）の外周面より膨出する構成とした請求項６記載の注出容器。
【請求項８】
胴部（４）の所定高さ位置から周段部（６）を介して拡径部（７ａ）を形成し、外装筒（１１）の下端（１５）が前記周段部（６）に当接又は近接する構成とした請求項１乃至７のいずれか一項に記載の注出容器。
【請求項９】
内容器（１）を透明性又は半透明性とした請求項１乃至８のいずれか一項に記載の注出容器。
【発明の詳細な説明】
【技術分野】
【０００１】
本発明は、外装カバーの内側に内容器を収納した注出容器、特に内容器の内容液を使い切ると、新しい内容器に交換して外装カバーを繰り返し何度も使用可能としたレフィルタイプの注出容器に関する。
【背景技術】
【０００２】
内容液が充填された比較的安価な内容器を高価な外装カバーに交換可能に装填し、内容液を使い切ると内容液が充填されている新しい内容器に交換して、高価な外装カバーを繰り返し使用するレフィルタイプの注出容器の関する周知技術としては、例えば以下の特許文献１に記載されている。
【０００３】
図７は従来例として特許文献１に記載のレフィルタイプの注出容器を示す半断面図である。図７に示すように、特許文献１に記載の注出容器は、有底筒状の本体１０１と、肩部１１１に立設した頸部１１２の頂壁１１３に注出孔１１４を有する本体１０１の開口部１０２に嵌着するカバー体１１０と、カバー体１１０の頸部１１２に嵌着する蓋体１３０とで外容器Ｓが構成され、この外容器Ｓに嵌脱可能に収納される口部１２１を立設したボトル状の内容器１２０を備えて構成されている。
【０００４】
内容器１２０の内容液を使い切ったときは、蓋体１３０を着蓋したままカバー体１１０を取り外し、内容器１２０を本体１０１から抜き取って内容液が充填された新しい内容器１２０を内容器１２０の仮蓋（図示省略）を取って投入し、再度、蓋体１３０付きカバー体１１０を本体１０１に螺着することにより、外容器Ｓは何度も使用可能というものである。
【先行技術文献】
【特許文献】
【０００５】
【特許文献１】特開平１１−３０１７３２号公報
【発明の概要】
【発明が解決しようとする課題】
【０００６】
上記特許文献１に記載の注出容器では、カバー体１１０の環状壁１１８が内容器１２０の口部１２１内に嵌入して周接する構成であるため、新しい内容器１２０を交換する際には、図示省略した仮蓋を取って内容器１２０の口部１２１を開封した状態で行う必要がある。
【０００７】
しかし、交換作業中の作業ミス等により、誤って内容器１２０を転倒させてしまうと、内容器１２０内の中身である内容液が零れるという問題がある。
【０００８】
また上記特許文献１に記載の注出容器では、内容液はカバー体１１０の注出孔１１４を介して注出される構成であるが、何度も繰り返し使用するうちに内容液が注出孔１１４や頂壁１１３に固着する場合があり、固着した内容液が劣化することによる衛生面の低下という問題もある。
【０００９】
本発明は、上記した従来技術における問題点を解消すべく、内容器の交換作業中に誤って転倒させても中身である内容液の零れを防止することができ、しかも衛生面に優れたレフィルタイプの注出容器を創出することを課題とする。
【課題を解決するための手段】
【００１０】
上記課題を解決するための手段のうち、本発明の主たる構成は、第１口筒部の上端に立設した注出ノズルを備えた内容器と、第２口筒部及び下端が開放された外装筒とを有して第１口筒部及び内容器の胴部を外装する外カバーと、外カバーの上部に装着されて第２口筒部を被嵌するキャップと、を有する注出容器であって、外カバーを内容器に外装させた状態において、注出ノズルが外装筒の第２口筒部内に配置されると共に、注出ノズルの先端が第２口筒部の上端よりも上方に突出する構成とした、と云うものである。
【００１１】
上記構成の注出容器によれば、外カバーを内容器に外装することにより、外カバー側の第２口筒部から未開封状態にある注出ノズル先端の突出を達成し得る。
【００１２】
また本発明の他の構成は、上記請求項１記載の発明に、外カバーが、第２口筒部から拡径して外装筒に連結する肩部と、外装筒の内側に肩部から垂下設された内筒壁とを有すると共に、内筒壁と内容器の第１口筒部とが対向する部分にネジ機構を設けた構成を加えたものである。
【００１３】
上記構成では、ネジ機構を利用しての外カバーの内筒壁と内容器の第１口筒部との間の螺合により、内容器に対する外カバーの外装作業及びその取り外し作業を容易に達成し得る。
【００１４】
また本発明の他の構成は、上記請求項２記載の発明に、外装筒の内筒壁と内容器の第１口筒部とが対向する部分に、外カバーを内容器に外装する作業の完了を知らしめるストッパ機構を設けた構成を加えたものである。
【００１５】
上記構成では、作業者に、外カバーを内容器に外装する作業が完了したことの知らしめを達成し得る。
【００１６】
また本発明の他の構成は、上記いずれかに記載の発明に、キャップの下面に収納凹部を設け、収納凹部内に第２口筒部及び第２口筒部の上端から突出する注出ノズルの先端が一緒に収納される構成を加えたものである。
【００１７】
上記構成では、キャップを外カバーから外した状態のみならず、装着した状態での外カバーの内容器への外装作業を達成し得る。
【００１８】
また本発明の他の構成は、上記いずれかに記載の発明に、注出ノズルの先端の注出孔を、シール材で封止した構成を加えたものである。
【００１９】
上記構成では、外カバーを内容器に外装した後に、シール材を除去することによる内容器の開封を達成し得る。
【００２０】
また本発明の他の構成は、上記いずれかに記載の発明に、内容器の胴部の所定高さ位置直下から底部にかけての部分を露出部とした構成を加えたものである。
【００２１】
上記構成では、片手で外カバーの外装筒を掴持し、もう一方の手で内容器の外装筒から下方に露出した胴部下端又は底部を掴持することになり、両者間の相対的に回転を大きな回転トルクを発生させた状態で行うことが可能となり、外カバーの内容器への外装作業及びその取り外し作業を容易に達成し得る。
【００２２】
また本発明の他の構成は、上記請求項６に記載の発明に、露出部を膨出状の拡径部とし、拡径部が外装筒の下端の外周面より膨出する構成を加えたものである。
【００２３】
上記構成では、露出部を拡径部として外装筒の下端の外周面より膨出する構成とすることにより、例えば外装筒を長くして露出部が短くなった場合にも露出部の掴持をより容易且つ確実に達成し得る。
【００２４】
本発明のさらに他の構成は上記構成に加えて、胴部の所定高さ位置から周段部を介して拡径部を形成し、外装筒の下端が周段部に近接する構成とする、と云うものである。
【００２５】
上記構成では、外装筒の下端が周段部に当接又は近接する構成とすることにより、外装筒の外周面と内容器の拡径部の外周面の繋がりをスムーズにして良好な外観を達成する。
【００２６】
本発明のさらに他の構成は、上記いずれかに記載の発明に、内容器を透明性又は半透明性とする構成を加えたものである。
【００２７】
上記構成では、露出部での内容液の残量確認を達成し得る。
【発明の効果】
【００２８】
本発明は、上記した構成となっているので、以下に示す効果を奏する。
【００２９】
本発明の主たる構成においては、外カバーを内容器に外装した後に、外カバーの第２口筒部から突出した状態にある注出ノズルの開封作業を行うことができるため、従来のように外カバーの外装作業中に開封状態にある内容器を転倒させて内容液を零してしまうという作業ミスを防止することができる。
【００３０】
また例え内容液が注出ノズル先端の注出孔やその周囲に固着する場合があっても、注出ノズルは内容器の交換時に一緒に交換することができるため、注出孔に固着した内容液の劣化による衛生面の低下という問題が生じることがない。
【００３１】
また請求項１記載の発明に、外カバーが、第２口筒部から拡径して外装筒に連結する肩部と、外装筒の内側に肩部から垂下設された内筒壁とを有すると共に、内筒壁と内容器の第１口筒部とが対向する部分にネジ機構を設けた構成では、外カバーを内容器に外装する外装作業及びその取り外し作業を容易且つ確実に行うことができる。
【００３２】
また外装筒は第２口筒部から肩部を介して離れた位置にあるので、内容液の付着による滑りの発生を効果的に抑制することができる。さらには外装筒を加飾することができ、内容器への印刷や、ラベル等による加飾を省略することによる省資源化、分別のし易さによるコストダウンを図ることができる。
【００３３】
また請求項２記載の発明に、外装筒の内筒壁と内容器の第１口筒部とが対向する部分に、外カバーを内容器に外装する作業の完了を知らしめるストッパ機構を設けた構成では、外カバーの内容器への外装作業及びその取り外し作業を確実に行うことができる。
【００３４】
また上記いずれかに記載の発明に、キャップの下面に収納凹部を設け、収納凹部内に第２口筒部及び第２口筒部の上端から突出する注出ノズルの先端が一緒に収納される構成を加えた構成では、キャップを外カバーから外した状態のみならず、装着した状態でも外カバーの内容器への外装作業を行うことができるため、外カバーの外装作業を容易且つ迅速に行うことができる。
【００３５】
また本発明の他の構成は、上記いずれかに記載の発明に、注出ノズルの先端の注出孔を、シール材で封止した構成を加えた構成では、外カバーを内容器に外装した後に、シール材を除去することが可能となるため、外装作業前又は作業中の内容器からの内容液の零れを効果的に防止することができる。
【００３６】
また上記いずれかに記載の発明に、内容器の胴部の所定高さ位置直下から底部にかけての部分を露出部とした構成を加えた構成では、片手で外カバーの外装筒を掴持し、もう一方の手で内容器の外装筒から下方に露出した胴部下端又は底部を掴持することにより、両者間に大きな回転トルクを発生させることが可能となるため、外カバーの内容器への外装作業及びその取り外し作業を容易且つ確実に行うことができる。
【００３７】
また請求項６に記載の発明に、露出部を膨出状の拡径部とし、拡径部が外装筒の下端の外周面より膨出する構成を加えた構成では、露出部を拡径部として外装筒の下端の外周面より膨出する構成とすることにより、例えば外装筒を長くして露出部が短くなった場合にも露出部の掴持をより容易且つ確実に行うことができる。
【００３８】
さらに上記いずれかに記載の発明に、胴部の所定高さ位置から周段部を介して拡径部を形成し、外装筒の下端が周段部に近接する構成を加えた構成では、外装筒の下端が周段部に当接又は近接する構成とすることにより、外装筒の外周面と内容器の拡径部の外周面の繋がりをスムーズにして良好な外観を図ることができる。
【００３９】
また上記いずれかに記載の発明に、内容器を透明性又は半透明性とする構成を加えた構成では、露出部での内容液の残量を視覚的に確認しながらの使用が可能となるため、注出容器を安心して使用することができる。
【図面の簡単な説明】
【００４０】
【図１】本発明の注出容器の一実施例を示す半断面図である。
【図２】注出容器を分解して示す図１同様の半断面図である。
【図３】内容器を示す半断面図である。
【図４】注出容器の使用状態を示す図１同様の半断面図である。
【図５】図１のＡ−Ａ線において切断した状態を示すストッパ機構の拡大断面図である。
【図６】ストッパ機構の他の構成を示す図５同様の拡大断面図である。
【図７】従来例として特許文献１に記載のレフィルタイプの注出容器を示す半断面図である。
【発明を実施するための形態】
【００４１】
以下、本発明の実施の形態について図面を参照しつつ説明する。
【００４２】
図１は本発明の注出容器の一実施例を示す半断面図、図２は注出容器を分解して示す図１同様の半断面図、図３は内容器を示す半断面図、図４は注出容器の使用状態を示す図１同様の半断面図、図５は図１のＡ−Ａ線において切断した状態を示すストッパ機構の拡大断面図である。
【００４３】
本発明の注出容器ＰＢは、主に内容器１、外カバー１０及びキャップ２０の各部材を有して構成される。
【００４４】
内容器１は壜体状で、例えばポリエチレンテレフタレート（ＰＥＴ）製の透明又は半透明性のブロー成形品であり、第１口筒部２、肩部３、円筒状の胴部４及び底部５を有する。また、胴部４の底部５に近い高さ位置から底部５にかけての部分は、周段部６を基点に外径方向に膨出させた拡径部７ａが形成されている。
【００４５】
第１口筒部２の上端には三角錐形状の注出ノズル８が立設されている。この注出ノズル８の先端８Ａには注出孔８ａが穿設されており、未使用状態では注出孔８ａはシール材４０によって封止された状態にある。
【００４６】
外カバー１０は、例えば不透明な合成樹脂成形品であり、下端１５が開放された筒状の外装筒１１と、外装筒１１の上部中央に立設された第２口筒部１２を有すると共に、第２口筒部１２と外装筒１１との間は第２口筒部１２の下端から拡径状に形成された肩部１３を介して一体に連結されている。外装筒１１の内径寸法は、内容器１の胴部４の外径寸法よりも若干大きく形成されており、内容器１の外側に外装筒１１を外装することが可能である。
【００４７】
肩部１３の下面には、円筒状の内筒壁１４が垂下設されている。内筒壁１４の内径寸法は、内容器１の第１口筒部２の外径寸法よりも大きく、内筒壁１４内に第１口筒部２を収納することが可能となっている。
【００４８】
そして、内筒壁１４の内面と第１口筒部２の外面とが対向する部分にはネジ機構３０が設けられている（図４参照）。すなわちネジ機構３０は、内容器１の第１口筒部２の外周面に設けられた螺条３１と、外カバー１０の内筒壁１４の内面に設けられた螺条３２とにより構成され、両者が螺合することにより内容器１に外カバー１０を強固に外装することが可能となっている。
【００４９】
図１及び図４に示すように、内容器１に外カバー１０を外装した状態では、注出ノズル８が第２口筒部１２内に配置されると共に、注出ノズル８の先端８Ａは第２口筒部１２の上端１２Ａに形成された開口部１２ａを介してさらに上方に突出する状態に設定される。
【００５０】
また、内筒壁１４の内面と第１口筒部２の外面とが対向する部分で且つネジ機構３０の下部位置にはストッパ機構３５が設けられている。ストッパ機構３５は、例えば図５に示すように、第１口筒部２の外面で且つ螺条３１の下部位置に突出形成された係合凸部３５ａと、内筒壁１４の内面で且つ螺条３２の下部位置に周方向に所定の間隔を置いて形成された一対の突起３５ｂとにより構成される。この実施例では、係合凸部３５ａは外カバー１０を螺合して外装する際に、回転上流側Ｕとなる一端に緩やかな傾斜面を有し、回転下流側ｄの他端に垂直面を有して構成されている。一対の突起３５ｂは、回転上流側Ｕに設けられた乗越え突起３５ｂ１と回転下流側ｄに設けられた規制突起３５ｂ２とにより構成される。乗越え突起３５ｂ１は回転上流側Ｕとなる一端に緩やかな傾斜面を有し、他端に垂直面を有する突起として構成され、規制突起３５ｂ２は少なくとも回転上流側Ｕとなる一端を垂直面で形成した突起として構成される。
【００５１】
図１及図２に示すように、キャップ２０は、下面中央に有頂筒状の収納凹部２１が設けられており、収納凹部２１の頂壁２１ａの下面にはパッキン２２が固着されている。図１に示すように、内容器１に外カバー１０を外装した状態においては、収納凹部２１内に、第２口筒部１２とその上端１２Ａから突出した注出ノズル８の先端８Ａとを一緒に収納することが可能となっている。
【００５２】
また収納凹部２１の内周面と第２口筒部１２の外周面にはネジ機構が設けられており、収納凹部２１の内周面に形成された螺条と第２口筒部１２の外周面に刻設された螺条とが螺合することにより、外カバー１０の第２口筒部１２をキャップ２０によって被嵌することが可能となっている。
【００５３】
なお、シール材４０を剥がした状態の注出ノズル８をキャップ２０で被嵌すると、キャップ２０内のパッキン２２が注出ノズル８の先端８Ａに圧接して注出孔８ａに密着するため、内容器１を液密状態に保持することが可能である。
【００５４】
内容器１に収納された内容液を使い切った際には、内容液が充填されている新たな内容器に交換して使用することになるが、この交換作業は、片手で外カバー１０の外装筒１１を掴持し、もう一方の手で外装筒１１の下端１５から下方に露出している内容器１の露出部７（本実施例では、外装筒１１の下端１５の外周面より横方向に膨出する拡径部７ａとしている。）を掴持して、両者を相対的に回転させることにより、大きな回転トルクを発生させることが可能となる。そして、この回転トルクを利用することにより、内容器１を外カバー１０から容易に取り外すことができ、また新たな内容器１を外カバー１０内に取り付けることができる。すなわち、内容器１を容易に交換することが可能となっている。
【００５５】
また新たな内容器１に外カバー１０を外装する際には、両者を相対的に回転させたときに、内容器１側の第１口筒部２に設けられた係合凸部３５ａが、外カバー１０側の内筒壁１４に形成された一対の突起３５ｂのうち、最初に回転上流側Ｕに位置する一方の乗越え突起３５ｂ１を相対的に乗り越え、次に回転下流側ｄに位置する他方の規制突起３５ｂ２に当接して回転が停止させられる。係合凸部３５ａが乗越え突起３５ｂ１を乗り越える際には回転負荷が増して回転トルクが重く感じると共に、乗り越えると同時に「カッチ」という音が発生する。このため、作業者に外カバー１０の外装作業が完了したことを触覚及び聴覚を通じてらしめることが可能となる。
【００５６】
上記の外装作業は、キャップ２０を外カバー１０に装着した状態で行うこともできるし、またキャップ２０を外した状態で行うことも可能である。
【００５７】
そして、外カバー１０の外装作業が完了すると、内容器１側の注出ノズル８の先端８Ａが第２口筒部１２の上端１２Ａから突出する状態となる。キャップ２０を外カバー１０に装着した状態で外装作業を行った場合にはキャップ２０を外してから、またキャップ２０を外した状態で外装作業を行った場合にはその状態から、シール材４０を剥がすことにより内容液の注出が可能となる。
【００５８】
このように、本発明では、内容器１に外カバー１０を外装した後に、注出ノズル８の先端８Ａを封止するシール材４０を剥がして注出孔８ａを表出させることができるため、外装作業前や作業中の操作ミス等により誤って内容器１を転倒させたとしても内容液の零れを確実に防止することが可能である。
【００５９】
また外装カバー１０及びキャップ２０は繰り返し使用されるが、内容器１は注出ノズル８と一緒に交換されるため、常に新しい注出ノズル８を用いての内容液の注出が可能となる。よって、衛生面において優れた注出容器ＰＢとすることができる。
【００６０】
なお、外装筒１１は第１口筒部２から十分離れた位置にあるので、内容液の付着による滑りの発生を無くすことができる。また、外装筒１１により、内容器１の大半部分を外装するようにしているので、この外装筒１１を印刷やラベルにより加飾しておくことにより、注出容器ＰＢとしての加飾性は十分発揮され、内容器１の加飾は省略することができる。
【００６１】
また、本実施例では外装筒１１の下端１５が周段部６に近接又は当接するように構成しており、外装筒１１の外周面と内容器１の拡径部７ａの外周面の繋がりをスムーズにして、良好な外観が得られるようにしている。また、内容器１は透明又は半透明性であり露出部７から内容液の残量を視覚的に確認することが可能であり、安心して使用することができる。
【００６２】
以上、実施例に沿って本発明の構成とその作用効果について説明したが、本発明の実施の形態は上記実施例に限定されるものではない。
【００６３】
例えば上記実施例では、ストッパ機構３５について、係合凸部３５ａを内容器１の第１口筒部２側に設け、一対の突起３５ｂ（乗越え突起３５ｂ１及び規制突起３５ｂ２）を外カバー１０の内筒壁１４側に設けた構成を示して説明したが、図６に示すように係合凸部３５ａを外カバー１０の内筒壁１４側に設け、一対の突起３５ｂを内容器１の第１口筒部２側に設ける構成とすることもできる。
【００６４】
また上記実施例では、内容器１を透明又は半透明な合成樹脂で形成し、外カバー１０を不透明な樹脂で形成し、外装筒１１の表面に胴部４に印刷やラベルにより加飾する構成を示して説明したが、本発明は上記実施例に限定されるものではなく、例えば外カバー１０を透明又は半透明な合成樹脂で形成し、内容器１を不透明な樹脂で形成すると共に内容器１の胴部４に印刷やラベルにより加飾することにより、透明又は半透明の外カバー１０を通して内側の内容器１に加飾された印刷やラベルが視認可能な構成とすることもできる。さらには内容器１と外カバー１０を共に透明又は半透明な合成樹脂で形成してもよいし、あるいは共に不透明な合成樹脂で形成してもよい。
【００６５】
また例えば上記実施例では外装筒１１を内容器１の底部５近傍にまで垂下しているが、内容器の交換に伴なう操作性や、外観や、部材コスト等を考慮して胴部４の中央高さ位置までにする等、適宜選択することができる。
【００６６】
また、内容器１としてはポリエチレンテレフタレート製に限定されることなく各種合成樹脂製のものを目的に応じて使用することができる。
【産業上の利用可能性】
【００６７】
本発明の注出容器は、簡便に内容器を交換することができ、また交換作業前及び作業中の内容器の転倒による零れ防止や作業の完了を容易に知ることができるものであり、レフィルタイプの注出容器として幅広い用途展開が期待される。
【符号の説明】
【００６８】
１      ：  内容器
２      ：  第１口筒部
４      ：  胴部
３      ：  肩部
５      ：  底部
６      ：  周段部
７      ：  露出部
７ａ    ：  拡径部
８      ：  注出ノズル
８Ａ    ：  注出ノズルの先端
８ａ    ：  注出孔
１０    ：  外カバー
１１    ：  外装筒
１２    ：  第２口筒部
１２Ａ  ：  第２口筒部の上端
１２ａ  ：  開口部
１３    ：  肩部
１４    ：  内筒壁
１５    ：  下端
２０    ：  キャップ
２１    ：  収納凹部
２２    ：  パッキン
３０    ：  ネジ機構
３１    ：  外カバー側の螺条
３２    ：  内容器側の螺条
３５    ：  ストッパ機構
３５ａ  ：  係合凸部
３５ｂ  ：  一対の突起
３５ｂ１：  乗越え突起（一対の突起）
３５ｂ２：  規制突起（一対の突起）
４０    ：  シール材
ＰＢ    ：  注出容器
【図１】
2014196130.tif 000003
【図２】
2014196130.tif 000004
【図３】
2014196130.tif 000005
【図４】
2014196130.tif 000006
【図５】
2014196130.tif 000007
【図６】
2014196130.tif 000008
【図７】
2014196130.tif 000009